【事件の表示】
　特許第３４１４１８９号「反射型カラーフィルタ及びその製造方法」の請求項１ないし３に係る特許に対する特許異議の申立てについて、次のとおり決定する。
【結　論】
　訂正を認める。
　特許第３４１４１８９号の請求項１に係る特許を取り消す。
　同請求項２に係る特許を維持する。
【理　由】
１．手続の経緯
  特許第３４１４１８９号の請求項１乃至３に係る発明についての出願は、平成９年４月８日に特許出願され、平成１５年４月４日にその発明について特許権の設定登録がなされ、その後、その特許について、異議申立人・株式会社ディスクより特許異議の申立てがなされ、取消しの理由が通知され、その指定期間内である平成１６年８月２日に訂正請求がなされたものである。
　
２．訂正の適否についての判断
（１）訂正の内容
ア．訂正事項ａ
　特許請求の範囲の請求項１を削除する。
イ．訂正事項ｂ
　同請求項１の削除に関連して、「請求項２」を新「請求項１」と訂正する。
ウ．訂正事項ｃ
　同請求項１の削除に関連して、新請求項１中の「前記波長及び」を「基板上に光吸収層を設け、該光吸収層の表面から内部にかけて凹部を設け、該凹部に波長及び偏光選択反射層を設けてなり、前記波長及び」と訂正し、「特徴とする請求項１記載の反射型カラーフィルタ」を「特徴とする反射型カラーフィルタ」と訂正する。
エ．訂正事項ｄ
　同請求項１の削除に関連して、「請求項３」を新「請求項２」と訂正する。
　
（２）訂正の目的の適否、新規事項の有無及び拡張・変更の存否
　訂正事項ａは、特許請求の範囲の減縮を目的とするものに該当する。
　訂正事項ｂ乃至ｄは、特許請求の範囲の請求項１の削除に伴う訂正であって、明りょうでない記載の釈明を目的とするものに該当する。
　また、上記訂正事項ａ乃至ｄはいずれも、新規事項の追加に該当せず、実質的に特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立てについての判断
（１）本件発明
　上記２．で示したように上記訂正が認められるから、本件の請求項１及び２に係る発明（以下、それぞれ、「本件発明１及び２」という。）は、上記訂正に係る訂正明細書の特許請求の範囲の請求項１及び２に記載された事項に特定される次のとおりのものである。
「【請求項１】
　基板上に光吸収層を設け、該光吸収層の表面から内部にかけて凹部を設け、該凹部に波長及び偏光選択反射層を設けてなり、前記波長及び偏光選択反射層が、紫外線硬化性コレステリック液晶又は紫外線硬化性カイラルネマチック液晶であることを特徴とする反射型カラーフィルタ。
【請求項２】
　１）基板上に感光性黒色樹脂組成物を塗布し、
　２）所望のパターンのフォトマスクを用いて露光して光吸収層の未露光部を必要な深さまで現像除去して光吸収層に凹部を設け、
　３）該光吸収層凹部に紫外線硬化性コレステリック液晶又は紫外線硬化性カイラルネマチック液晶を圧力をかけながら配向を施しつつ充填し、
　４）基板を必要とする温度まで加熱して該紫外線硬化性コレステリック液晶又は紫外線硬化性カイラルネマチック液晶の反射波長を制御しつつ所望するパターンのフォトマスクを用いて露光して必要部分を硬化させ、
　５）３）と４）の工程を必要とする色数繰り返してなることを特徴とする反射型カラーフィルタの製造方法。」
　
（２）引用刊行物に記載された発明
　当審で通知した取消しの理由に引用した刊行物１乃至５（それぞれ、異議申立人の提出した甲第１号証乃至甲第５号証）には、それぞれ次のとおりの発明が記載されている。
ア．刊行物１：特開平７−８４２７９号公報
　波長選択性を有するコレステリック液晶を利用した液晶表示装置に関するもので、
（１）【０００７】欄には、「【課題を解決するための手段】本発明はこの様な点に鑑みて、特定の波長の偏光モードを高効率に利用するに際して簡単な構成でフルカラー表示を行うもので、円偏光選択性を有するコレステリック液晶層と、コレステリック液晶層に積層された複屈折性を有する光学手段とを有し、その光学手段は、少なくとも電圧印加手段をもった液晶層を含み、ＯＮ状態若しくはＯＦＦ状態において可視光域内で低次の円偏光を生じる様に構成したものである。」と記載される。
（２）特許請求の範囲の【請求項２】には、「光吸収層と、該光吸収層に積層され特定の波長の円偏光した光を反射するコレステリック液晶層と、該コレステリック液晶層に積層された位相板及び電界印加手段をもった液晶層及び偏光子とから成る光学手段とを有し、前記液晶層は、可視光域内で光学手段が低次の円偏光を生じるような複屈折性を有していることを特徴とする液晶表示器。」と記載される。
（３）【００１０】欄には「【実施例】図１は本発明実施例の液晶表示器の断面図で、１は円偏光選択性を有するコレステリック液晶層であり、特定の波長の右（若しくは左）旋回の円偏光した光を反射し、他の波長並びに逆旋回円偏光の光は透過する。２はそのコレステリック液晶層１に積層された複屈折性を有する光学手段であり、液晶層２１と偏光子２２を有する。・・」と記載され、続いて、【００１１】欄には「このような構成において、コレステリック液晶層１は例えば赤、緑、青の各波長に対して選択性のある層が整列されているとする。そして、例えば赤の表示を例に取ると、赤の波長である波長６１０ｎｍ近傍の光がコレステリック液晶層１で左円偏光反射されるとすると、右円偏光の光や他の色波長の光はコレステリック液晶層１を透過し表示には寄与しない。コレステリック液晶層１で反射された赤色の左円偏光の光は光学層２で透過・遮光される。具体的には、電界が印加されないときにはレターディション調整された液晶層２１により位相がπだけ進み、左偏光となる。そして電界印加時にはレターディションが崩されるので右偏光のままで液晶層２１を透過する。そしてこれらの光は偏光子２２において無電界のときは選択された波長域の逆方向の光であるから反射され表示の色は無彩色（黒）となり、電界時には透過され、表示は赤色となり、この時の光吸収は著しく小さい。」と記載され、さらに【００１２】欄には「このような表示原理からすると、コレステリック液晶層１を透過した光は吸収してしまうのがよく、また光学層で楕円偏光成分が少ないほうがよい。この場合図２に示す様に、液晶表示器を光吸収層３と、その光吸収層３に積層され特定の波長の円偏光した光を反射するコレステリック液晶層１と、そのコレステリック液晶層１に積層された位相板２６と電界印加手段をもった液晶層２７と偏光子２２とから成る光学手段２で構成してもよい。・・」と記載される。
（４）【００１３】欄には、「・・、また、コレステリック液晶層１は、コレステリックのピッチにより波長選択性を持つ。・・」と記載される。
　
イ．刊行物２：特開平８−３２０４８０号公報
　カラー液晶表示装置に関するもので、光反射タイプのカラーフィルターを、紫外線硬化性コレステリック液晶で形成することが記載される。（【００８８】欄〜【００９０】欄。）
　
ウ．刊行物３：特開平７−３５９１５号公報
（１）カラーフィルターに関するもので、【０００２】欄には、「【従来の技術】液晶表示素子用カラーフィルタは、透明基板上に形成された赤、緑、青の三原色の画素を一絵素とし多数の絵素から構成される。各画素間には表示コントラストを高めるために一定の幅を持つ遮光領域（一般に黒色でブラックマトリクスと称されている）が設けられる。」と記載される。
　
（２）【０００６】欄には、「【発明が解決しようとする課題】・・・インキにじみや混色を確実に防止する仕切り壁としての機能を備えたブラックマトリクスを有することを特徴とした、表示品質が高く、低コストな液晶表示素子用カラーフィルタを提供することにある。」と記載される。
　　
エ．刊行物４：特開平７−３０６４０２号公報
　反射型液晶表示装置における光吸収層として黒色レジストを使用して形成されることが記載される。（【００２９】欄。）
　
オ．刊行物５：特開平６−１６０８７０号公報
　液晶表示装置の製造方法に関するもので、【請求項２】には、「一方の透明基板上の配向膜上に設けられた突起からなるスペーサを備えた液晶表示装置の製造方法において、前記一方の透明基板上に配向剤膜を形成すべき配向膜の厚さよりもある程度厚めに形成し、この配向剤膜の表面側の予め定められた箇所のみをハーフエッチングすることにより、前記配向膜および前記突起を形成することを特徴とする液晶表示装置の製造方法。」が記載され、【０００８】欄には「この後、配向膜の表面に所定のラビング処理を施す。」ことが記載される。
　
（３）本件発明１について
　本件発明１と刊行物１に記載の発明とを対比する。
  刊行物１の上掲の（１）〜（４）の記載からして、刊行物１の「波長選択性を有するコレステリック液晶層１」は、本件発明１にいう「コレステリック液晶からなる波長及び偏光選択反射層」に相当し、また、刊行物１の図２の「基板１１上に光吸収層３、さらに前記波長選択性を有するコレステリック液晶層１が順次積層されたもの」は、本件発明１にいう「反射型カラーフィルタ」に相当することは明らかである。
　よって、「基板上に光吸収層を設け、かつ、波長及び偏光選択反射層を設けてなり、前記波長及び偏光選択反射層がコレステリック液晶である反射型カラーフィルタ。」である点で両者は一致し、ａ．コレステリック液晶として、本件発明１は紫外線硬化性コレステリック液晶を用いるのに対して、刊行物１には、紫外線硬化性コレステリック液晶を用いる旨の記載がない点（「相違点１」という。）、ｂ．波長及び偏光選択反射層を設ける箇所が、本件発明１は、基板上に設けられた光吸収層の表面から内部にかけて設けられた凹部であるのに対して、刊行物１に記載の発明は、基板上に設けられた光吸収層の上である点（「相違点２」という。）、で相違する。
　
　上記相違点１、２について検討する。
相違点１について
　刊行物２に記載されるように、光反射タイプのカラーフィルターを、紫外線硬化性コレステリック液晶で形成することは本願出願前知られている。　
　したがって、刊行物１のコレステリック液晶として紫外線硬化性のコレステリック液晶を用いることは、当業者にとって格別の困難性はない。
　
相違点２について
　刊行物３に記載されるように、カラーフィルターの各画素間に表示コントラストを高めるために一定の幅を持ち、仕切壁としての機能を備えたブラックマトリクスを設けることは、本願出願前周知の技術である。
　そして、刊行物１の図２の基板１１上に設けられた光吸収層３の上に積層された「赤、緑、青の各波長に対して選択性のあるコレステリック液晶層１」に対して、一定の幅を持つブラックマトリクスを設けることに格別の阻害要因はなく、そのようにすることは、当業者にとって容易なことである。
　このように刊行物１の図２のコレステリック液晶層１にブラックマトリクスを適用して構成される反射型カラーフィルターは、本件発明１の「基板上に光吸収層を設け、該光吸収層の表面から内部にかけて凹部を設け、該凹部に波長及び偏光選択反射層を設けてなる反射型カラーフィルター」と構成上何等変わるものではない。
　
　したがって、本件発明１は、刊行物１乃至３に記載された各発明に基いて当業者が容易に発明をすることができたものである。
　
（４）本件発明２について
　本件発明２と刊行物１乃至５に記載された各発明とを比較検討すると、刊行物１乃至５には、本件発明２の構成要件である「３）該光吸収層凹部に紫外線硬化性コレステリック液晶又は紫外線硬化性カイラルネマチック液晶を圧力をかけながら配向を施しつつ充填する」ことを、開示或いは示唆する記載は何等ない。
　そして、本件発明２は上記構成を具備することにより、液晶分子の配向方向がそろい良好な反射特性が得られるという効果を奏する。
　したがって、本件発明２は、刊行物１乃至５に記載された各発明に基いて当業者が容易に発明をすることができたものではない。
　
（５）むすび
　以上のとおりであるから、本件発明１の特許は、特許法第２９条第２項の規定に違反してされたものであるから、同法第１１３条第２号に該当し、取り消されるべきものである。
　また、本件発明２の特許については、取消理由を発見しない。
　よって、結論のとおり決定する。
【異議決定日】
平成１６年１２月８日（２００４．１２．８）
【訂正の要旨】
審決（決定）の【理由】欄参照。
（５４）【発明の名称】
反射型カラーフィルタ及びその製造方法
（５７）【特許請求の範囲】
　【請求項
１
　
基板上に光吸収層を設け、該光吸収層の表面から内部にかけて凹部を設け、該凹部に波長及び偏光選択反射層を設けてなり、
る
　【請求項
２
１）基板上に感光性黒色樹脂組成物を塗布し、
２）所望のパターンのフォトマスクを用いて露光して光吸収層の未露光部を必要な深さまで現像除去して光吸収層に凹部を設け、
３）該光吸収層凹部に紫外線硬化性コレステリック液晶又は紫外線硬化性カイラルネマチック液晶を圧力をかけながら配向を施しつつ充填し、
４）基板を必要とする温度まで加熱して該紫外線硬化性コレステリック液晶又は紫外線硬化性カイラルネマチック液晶の反射波長を制御しつつ所望するパターンのフォトマスクを用いて露光して必要部分を硬化させ、
５）３）と４）の工程を必要とする色数繰り返してなることを特徴とする反射型カラーフィルタの製造方法。
【発明の詳細な説明】
　【０００１】
　【発明の属する技術分野】
　本発明は反射型カラー液晶表示装置に用いられる反射型カラーフィルタ及びその製造方法に関する。
　【０００２】
　【従来の技術】
　反射型液晶表示装置は、従来のバックライトを用いた透過型液晶表示装置に比べて薄型、軽量、低消費電力の点で優れており期待される技術である。しかし、カラー表示のために、透過型の場合と同様にカラーフィルタを挿入すると色材の光吸収により反射率が低下し表示装置としての明るさが不足して問題となる。
　【０００３】
　この対策として、カラーフィルタの色材濃度を下げて明るさを向上させる方法が検討されているが、この方法ではカラーフィルタの色純度が低下して液晶表示装置の色再現性が低下してしまう。
　【０００４】
　そこで、色再現性を低下させずに明るさを向上させる方法として、顔料、染料などの色材を用いず、コレステリック液晶の持つ波長選択反射特性を利用して反射型のカラーフィルタを形成する方法が提案されている。中でも、温度によって選択反射波長を変えることが可能であり、かつ所望の温度で紫外線露光することによって選択反射波長を固定することのできる紫外線硬化性のコレステリック液晶又はカイラルネマチック液晶は、単一層で複数の反射色パターンを形成することが可能であり、反射型カラーフィルタの形成材料として検討が進められている。
Ｃｏｌｏｒ　Ｐａｔｔｅｒｎ）
　【０００５】
　紫外線硬化性のコレステリック液晶又はカイラルネマチック液晶は個々の分子の配向方向をそろえることで高い反射率を得ることができ、温度制御することで液晶分子のねじれピッチを変化させ選択反射波長を制御することのできる材料であるため、反射型カラーフィルタを形成する為にはこれら諸特性の制御が重要となる。
　【０００６】
　現在提案されている方法としては、第一に、配向方向をそろえるためにポリイミドなどの配向膜を形成した二枚のガラス基板で紫外線硬化性のコレステリック液晶又はカイラルネマチック液晶を挟み込んで加熱しながら圧力をかけ、全体を均一に配向させる。続いて必要な波長を反射する温度まで加熱した状態で必要なパターンのフォトマスクを介して紫外線露光し、露光した部分のみの液晶のピッチを固定させ、反射層パターンを得る。この工程を繰り返して、複数色の反射型カラーフィルタを形成する。
　【０００７】
　また、この方式の場合は、液晶層そのものが反射層であるため、別に反射層を設ける必要はなく、逆に液晶層を透過する光（選択反射波長以外の光の反射光を除去するために光吸収層が必要となる。この光吸収層は通常配向膜の下に設けられる。
　【０００８】
　この工程での問題点は、第一にガラス基板で挟み込んで圧力をかけ展開して成膜することから、紫外線露光の際にガラス基板を通しての露光となる点である。所定のパターンのフォトマスクを用いても、ガラス基板の厚みの分マスクと液晶層のギャップが生じ、解像力が得られない。
　【０００９】
　第二の問題点は、紫外線露光中に液晶層内での乱反射によっていわゆる露光かぶりが生じることである。すなわち、液晶分子を配向膜を用いて均一に配向させるわけであるが、完全に同一方向を向くわけでなく、ある程度はランダムな方向を向いてしまう。その結果紫外線光がランダムな方向に散乱され、所定のパターン部以外の部分も露光され、液晶ピッチが固定されて次色のパターニングが不可能となる。
　【００１０】
　【発明が解決しようとする課題】
　本発明はこれらの問題点を解決するためになされたものであり、その課題とするところは、紫外線硬化性のコレステリック液晶又はカイラルネマチック液晶を用いて、表示特性の優れた反射型カラーフィルタ及びその製造方法を提供することにある。
　【００１１】
　【課題を解決するための手段】
　本発明では上記課題を解決するため、基板上に光吸収層を設け、該光吸収層の表面から内部にかけて凹部を設け、該凹部に波長及び偏光選択反射層を設けてなることを特徴とする反射型カラーフィルタを提供する。また特に、前記波長及び偏光選択反射層が、紫外線硬化性コレステリック液晶又は紫外線硬化性カイラルネマチック液晶であることを特徴とする反射型カラーフィルタを提供する。
　【００１２】
　またその製造方法として、１）基板上に感光性黒色樹脂組成物を塗布し、２）所望のパターンのフォトマスクを用いて露光して光吸収層の未露光部を必要な深さまで現像除去して光吸収層に凹部を設け、３）該光吸収層凹部に紫外線硬化性コレステリック液晶又は紫外線硬化性カイラルネマチック液晶を圧力をかけながら配向を施しつつ充填し、４）基板を必要とする温度まで加熱して該紫外線硬化性コレステリック液晶又は紫外線硬化性カイラルネマチック液晶の反射波長を制御しつつ所望するパターンのフォトマスクを用いて露光して必要部分を硬化させ、５）３）と４）の工程を必要とする色数繰り返してなることを特徴とする反射型カラーフィルタの製造方法を提供するものである。
　【００１３】
　【発明の実施の形態】
　以下本発明の詳細な内容について図面を用いて説明する。第一に基板１上に光吸収層２を形成するのであるが、このときの基板材質は、液晶表示装置に用いられる材質であれば任意に選ぶことが可能である。通常はガラス基板が用いられる。
　【００１４】
　このガラス基板上に設けられる光吸収層２は、以下の組成の黒色樹脂組成物で形成される。すなわち、黒色顔料、バインダー、感光性樹脂、感光剤を希釈溶剤で希釈した感光性黒色樹脂組成物であり、透過型カラーフィルタのブラックマトリクス形成に用いられているブラックレジストを用いることが可能である。
　【００１５】
　基板上にブラックレジストを、スピンコート法、ロールコート法などを用いて均一に塗布し、クリーンオーブン、ホットプレートなどを用いて乾燥させる。このとき、塗布する膜厚は以後の工程で形成する選択反射層の膜厚より大きく設定する必要があり、通常は１０〜２０μｍで塗布される。
　【００１６】
　次に所定のフォトマスク３を用いて紫外線露光した後に所定の現像液を用いて現像する。このとき、本発明では現像の時間を制御することにより光吸収層を完全に現像せず、光吸収層としての機能を損なわない程度の残膜を残した時点で現像を中止する。
　【００１７】
　ここで、光吸収層は所定の形状の凹部（リブ形状）を有する層２’となる。凹部の深さはすなわち次工程で形成される選択反射層の深さであり、８〜１８μｍ程度が適当である。
　【００１８】
　続いてこの光吸収層の設けられた基板を加熱しながら光吸収層上に紫外線硬化性のコレステリック液晶又はカイラルネマチック液晶を所定量滴下し、スキージ等を用いてシェアをかけながら凹部に埋め込み、選択反射層５を形成する。このとき、スキージの材質としては光吸収層にダメージを与えないように、ウレタンゴム、シリコンゴム等の十分に柔軟な素材が用いられる。ここでスキージによる塗布をすることで紫外線硬化性のコレステリック液晶又はカイラルネマチック液晶にはスキージの処理方向にシェアがかかり液晶分子の配向方向がそろい良好な反射特性を得ることができる。
　【００１９】
　また、さらに配向を均一にしたい場合は、紫外線硬化性のコレステリック液晶又はカイラルネマチック液晶の塗布前にあらかじめ配向膜を光吸収層上に形成し、スキージの処理方向に合わせてラビングし配向層を設けておくことも可能である。
　【００２０】
　ここまでの工程を経ることで図５に示すごとく本発明による反射型カラーフィルタの形状が形成される。続いて選択反射層に所望の波長の選択反射特性を持たせる工程を行う。第一に光吸収層、選択反射層の形成された基板を希望する温度に加熱する。このときの温度は用いる紫外線硬化性のコレステリック液晶又はカイラルネマチック液晶の特性と必要とする反射波長によって決定される。
　【００２１】
　次にこの温度を保持したまま、選択反射層の形状に合わせたフォトマスクを用いて紫外線露光する。紫外線露光された部分は開始剤の発生するラジカルによる重合反応で液晶のピッチが固定され、以後温度を変化させても反射波長は変化しない。未露光部については重合反応が起こっていないため、温度を変化させることにより選択反射波長を変えることが可能となる。
　【００２２】
　また、本発明では選択反射層が光吸収層と同一の材料で形成されたリブで囲まれているため、露光部で散乱された紫外線光はリブに吸収され、パターン以外への紫外線光の散乱が無くいわゆるかぶりを生じない。
　【００２３】
　続けて以上の工程を必要とする色数繰り返して反射型カラーフィルタを形成する。
　【００２４】
　【実施例】
　３００ｍｍ×３００ｍｍで厚さ１．１ｍｍのノンアルカリガラス基板（コーニング社製：「＃７０５９」）上にブラックレジスト（フジハント社製：「ＣＫ７０００」）を３００ｒｐｍでスピンコートし、クリーンオーブンを用いて７０℃で２０分間乾燥した。さらにこの工程を３回繰り返して厚さ１２μｍのブラックレジスト膜を得た。このブラックレジスト膜を、線幅２０μｍ、ピッチ１００μｍのフォトマスクを通して超高圧水銀灯を用いて３００ｍＪで紫外線露光した。続いて現像液（フジハント社製：「ＣＤ」）に１０分間浸漬現像して純水スプレーでリンスした。このときブラックレジスト膜の未露光部は１０μｍ現像され、リブ形状をなす光吸収層となった。
　【００２５】
　この基板をホットプレートを用いて１００℃に加熱しながら、基板の一端にストライプ状に（ＷＡＣＫＥＲ社製：「ＴＣ３９４７Ｌ」）を５ｇ滴下してウレタンゴム製のスキージを用いて、圧力をかけながら塗工した。これは光吸収層のリブ形状の中に埋め込まれる形となり、選択反射層を形成した。続いて、基板を９５℃に加熱しピーク反射波長を４６５ｎｍにした状態で、選択反射層のうち青色に表示したい画素のみをフォトマスクを介して９００ｍＪで紫外線露光した。次に基板温度を７０℃とし、前工程で露光してピッチを固定した以外の選択反射層を５４５ｎｍを反射するようにし、緑色表示画素のみを同様に露光した。さらに基板温度を４５℃として６２０ｎｍを反射する様にした上で、同様に露光し赤色表示画素を形成した。このときの各画素の反射特性は良好であった。また各画素は１００μｍピッチで混色などの問題もなかった。
　【００２６】
　【発明の効果】
　本発明は以上の様な構成であるから以下の通りの効果がある。すなわち、光吸収層を所定の厚さまで現像して凹部（リブ形状）を形成し、この凹部に紫外線硬化性のコレステリック液晶又はカイラルネマチック液晶を埋め込んだ形状とすることにより、紫外線光によるパターニング時に光の未露光部への散乱を防止して、解像力の良いパターンを得ることが可能となる。また光吸収層のリブ形状へ紫外線硬化性のコレステリック液晶又はカイラルネマチック液晶をドクターを用いて挿入することにより均一な配向が実現され、反射率の高い反射型カラーフィルタを簡便な方法で製造することが可能となる。
【図面の簡単な説明】
　【図１】本発明の反射型カラーフィルタの一例の断面の構造を示す説明図である。
　【図２】本発明の反射型カラーフィルタの製造方法の工程を示す説明図である。
　【符号の説明】
　１…基板　　２、２’…光吸収層　　３…フォトマスク　　４…ドクター　　５…選択反射層